(57)【特許請求の範囲】
【請求項１】
金属製の線条体が巻かれたボビン上に配置され、かつ該ボビンから繰り出される線条体に張力を付与する線条体繰り出しテンション装置において、前記ボビンの胴部両端の鍔部の一方を取り外した前記ボビンの一端面上に、放射状に配設された複数本の可撓性を有するホイスカーを設け、前記ボビンの胴部径より小径であるホイスカー支持板を配置して、前記線条体が前記ボビン胴部からほぼ真直な状態で繰り出されるようにしたことを特徴とする線条体繰り出しテンション装置。
【発明の詳細な説明】
【０００１】
【発明の属する技術分野】
本発明は、銅，鉄，アルミニウム・その他合金からなる各種金属の線条体が巻かれているボビンから、該線条体を取り出すために用いる線条体の繰り出しテンション装置に関するものである。
【０００２】
【従来の技術】
前記の如き各種金属の線条体をボビンから取り出すために用いる繰り出しテンション装置の従来技術として、例えば実開平６−６３５５２号公報に開示された『細線用繰り出しテンション装置』がある。
【０００３】
この従来技術では、直径が０．１未満の細線からなる線条体をボビンから繰り出すために長期間使用していると、ホイスカーが途中から折損したり、またホイスカーの先端がささくれ立ってしまうなどの問題が起こることから、これを防止するために、図６に示すように構成した技術が記載されている。  即ち、ボビンａの上端の鍔部にボビン覆い板ｂを取付けると共に、該ボビン覆い板ｂにはホイスカーｃが固定され、該ホイスカーｃはボビン覆い板ｂより外方へ突出する先端部が、Ｕ字状としてループ状に折り返して形成されている。また、ボビン覆い板ｂにはフェルトｅが設けられている。
【０００４】
そして、ホイスカーｃがＵ字状となっていることから、先端のささくれや、曲がりによる線条体ｄとの不接触等が防止され、遙かに長持ちして、またＵ字状となることによってホイスカーｃの張り自体が強くなり、線条体ｄへのテンション作用として、ボビン覆い板ｂ面上へのホイスカーｃの設置数が少なくて済む等の利点を得ることができる。
【０００５】
【発明が解決しようとする課題】
ところで、従来技術の繰り出しテンション装置は、上述の如く、ホイスカーｃをＵ字状に形成することによって長期的使用に耐え得るようにしている。
しかしながら、従来技術では、ボビンａから線条体ｄが繰り出され始めた当初は問題ないものの、ボビンａにおける線条体ｄの巻線量が少なくなった場合について配慮が欠けていた。
即ち、従来技術において、ボビンａから線条体ｄが繰り出され、ボビンａに巻かれている線条体ｄの巻線量が少なくなってしまうと、図中の破線で示すように、ボビンａから繰り出される線条体ｄの角度が鋭角となっとしまい、そのため、線条体ｄがボビンａの鍔部やボビン覆い板ｂに接触し断線してしまうという問題があった。
【０００６】
本発明は、上記従来技術の問題点に鑑み、ボビンにおける線条体の巻線量に関わりなく、線条体の断線を常に防止できる線条体の繰り出しテンション装置を提供することを目的とする。
【０００７】
【課題を解決するための手段】
上記目的を達成するための本発明に係る線条体繰り出しテンション装置は、金属製の線条体が巻かれたボビン上に配置され、かつ該ボビンから繰り出される線条体に張力を付与する線条体繰り出しテンション装置において、前記ボビンの胴部両端の鍔部の一方を取り外した前記ボビンの一端面上に、放射状に配設された複数本の可撓性を有するホイスカーを設け、前記ボビンの胴部径より小径であるホイスカー支持板を配置して、前記線条体が前記ボビン胴部からほぼ真直な状態で繰り出されるようにしたことを特徴とする。
【０００８】
線条体の繰り出し時、線条体がホイスカーと摺接すると、該ホイスカーが線条体の押圧力によって変形するが、その際、ホイスカーの可撓性によって復元力が作用することにより、線条体に適度の張力が付与され、線条体がボビンからばらけることなく、かつ順次繰り出される。
従って、ボビンにおける線条体の巻線量が多い場合には、ボビンの一端面上に所定間隔をもって配置されたホイスカー支持板のホイスカーが前述の如く作用することにより、線条体の繰り出しが良好に行われることとなる。
そうして、ボビン上における線条体の繰り出しが進み、ボビンにおける線条体の巻線量が少なくなってくると、従来技術では線条体がホイスカー支持板に当たり、破損したり断線したりする虞がある。
【０００９】
しかしながら、本発明では、前述の如く、ホイスカー支持板がボビン上端面から線条体がボビン胴部からほぼ真直な状態で繰り出されるようにボビンの胴部径より小径であり、またボビンの一端の鍔部が取り外されているので、繰り出されている線条体がホイスカーにのみ摺接するだけであり、仮にホイスカー支持板と摺接しても、線条体の繰り出し角度が鋭角となることがなく、ボビン胴部からほぼ真直な状態で繰り出される状態となり、線条体が破損したり断線したりすることがない。  
【００１０】
従って、線条体の繰り出し時、ボビンにおける線条体の巻線量が少なくなった場合、ボビンの大きさや線条体径にもよるが、ホイスカー支持板径がボビンの胴部径より大径で、ホイスカー支持板とボビン上端面との間隔が狭いと、線条体がホイスカー支持板に当たり易くなる。しかも、線条体の繰り出し角度が鋭角となり、線条体がホイスカー支持板下面の周縁端に摺接して線条体が破損したりする可能性がある。
しかしながら、本発明では、線条体径や繰り出し速度等に対応して、線条体がほぼ真直な状態で繰り出されるようにホイスカー支持板径がボビンの胴部径より小径なので、線条体の繰り出し角度が鋭角となるのを防ぎ、真直な繰り出し角度で確実に保ち続けることができる。よって、線条体の繰り出しをスムーズに行わせることができる。
【００１２】
【発明の実施の形態】
以下、本発明に係る線条体繰り出しテンション装置の好適な実施の形態を図面を参照して詳細に説明する。
図１〜図５は本発明に係る線条体繰り出しテンション装置の一実施形態を示した図で、図１は線条体繰り出しテンション装置の使用状態を示す正面図、図２は線条体繰り出しテンション装置の要部斜視図、図３はボビンを示す分解斜視図、図４は線条体がボビンから繰り出されている様子を示す装置図、図５はホイスカー支持板が小径に設けられた形態の要部斜視図である。
【００１３】
本実施の形態を説明する前に、本実施形態で取り扱うボビンについて述べると、ボビン１は、図３に示すように、胴部１ａの両端部に鍔部１ｂ，１ｃを有する形状をなしており、その一端部の鍔部１ｂがボルト２によって取り外し可能に取付けられている。そして、このボビン１は、線条体の巻線時には両端部の鍔部１ｂが取付けられているが、線条体繰り出しテンション装置に適用されて線条体を引き出すときには、図１，図３，図４に示すように、テンション装置に装填された状態で上方側の鍔部１ｂが取り外されるようになっている。なお図３において、符号１ｄはボルト２のねじ孔、符号１ｅは取り外される鍔部１ｂに設けられたボルト挿通孔である。
【００１４】
そして、本実施態様の線条体繰り出しテンション装置４は、線条体３の巻かれているボビン１の上端面上に、後述するホイスカー支持板４１が装備されたとき、ボビン１から繰り出される線条体３に適度の張力を付与して、線条体３の繰り出しを行うようにしたものである。
即ち、図１及び図２に示すように、鍔部１ｂが取り外されたボビン１の上端面上に、放射状に配設された複数本からなるホイスカー４２を有するホイスカー支持板４１が、ボビン１に巻装された線条体３に対し所定間隔をもって配置され、これにより、線条体３がボビン１から繰り出され、かつボビン１における巻線量が少なくなった場合でも、所定張力を付与して繰り出し機能を維持できるようになっている。
【００１５】
具体的に述べると、線条体繰り出しテンション装置４は、図２に示すように、ホイスカー支持板４１と、該ホイスカー支持板４１の外周部に放射状に配設された複数本のホイスカー４２と、ホイスカー支持板４１の下面より垂設された軸部４３とを有して構成されている。
【００１６】
ホイスカー支持板４１は、例えば基体に円盤形状をなすフェルトを貼着することによって形成され、その径が図１及び図５に示すように、ボビン１の胴部１ａの径より小さい寸法をなしている。
なお、ホイスカー支持板４１の径寸法は、後述するボビン１に対して離間される所定間隔との相対関係において適宜設定できるものである。
ホイスカー４２の各々は、図１及び図２に示すように、可撓性を有する線材で構成され、かつホイスカー支持板４１の上部にその周囲外方に向かい放射状に配設されている。さらに詳しくは、これらホイスカー４２は、その先端部がホイスカー支持板４１の上部において、該ホイスカー支持板４１から周囲外方へ突出すると共に、途中部分がＵ字状に折り返されてホイスカー支持板４１に戻るＵ字状をなし、しかもその径方向の長さが図１に示すように、ボビン１の胴部１ａの径より大きくかつボビン１の鍔部１ｃの径より小さい程度となるようにしている。
【００１７】
軸部４３は、ボビン１の鍔部１ｂを取り外してボビン１の胴部１ａに挿入されたとき、その先端がボビン１の下面の鍔部１ｃに当接することにより、ホイスカー支持板４１がボビン１に対し所定間隔をもつような長さに設定されている。
そのため、軸部４３はボビン１の胴部１ａに挿入し得る径をなすと共に、ホイスカー支持板４１とボビン１上面との間を所定間隔とする長さ寸法を有している。なお、軸部４３の軸方向の長さは、ボビン１の大きさ，線条体３の線径等に応じ種々設定され、それによってボビン１上端面とホイスカー支持板４１との間の間隔を適宜選定するのが好ましい。
【００１８】
本実施態様の線条体繰り出しテンション装置４は、上記の如き構成よりなるので、次に、これを用いてボビン１から線条体３を繰り出す場合について述べる。
線条体繰り出しテンション装置４をボビン１に装着する際、先ず、図３に示すように、ボビン１のボルト２の締着を解除することにより、線条体３が巻かれているボビン１から上端の鍔部１ｂを取り外した後、取り外したボビン１の胴部１ａに上方から線条体繰り出しテンション装置４の軸部４３を挿入して、図１，図４，図５に示す如く、ホイスカー支持板４１をボビン１に対し所定間隔をもって配置する。そして、その状態で線条体３をボビン１から繰り出せるように、ホイスカー支持板４１及びホイスカー４２間より引き出し、伸線機や撚線機に繋ぎ、その後、線条体３の繰り出しを実行する。
【００１９】
上記した線条体３の繰り出し実行時、線条体３がホイスカー支持板４１のホイスカー４２の頂部と摺接すると、該ホイスカー４２が線条体３の押圧力によって変形するが、その際、ホイスカー４２の可撓性によって復元力が作用することにより、線条体３に適度の張力が付与され、線条体３がボビン１からばらけることなく、かつ順次繰り出される。
従って、ボビン１における線条体３の巻線量が多い場合には、図４に実線で示す如く、ボビン１の上端面上に所定間隔をもって配置したホイスカー支持板４１のホイスカー４２が前述の如く作用することにより、線条体３の繰り出しが良好に行われることとなる。
【００２０】
そうして、ボビン１上における線条体３の繰り出しが進み、ボビン１における線条体３の巻線量が少なくなってくると、線条体３が図１および図３の想像線に示す如くホイスカー支持板４１に近接するようになる。
しかしながら、既述したように、ホイスカー支持板４１がボビン１の上端面上に所定間隔をもって配置されているので、また、ボビン１上端の鍔部１ｂが取り外されているので、繰り出されている線条体３がホイスカー４２に常時摺接する。また、仮にホイスカー支持板４１と摺接しても、所定間隔をもって配置されていることから、線条体３の繰り出し角度が鋭角となることがなく、ボビン胴部１ａからほぼ真直な状態で繰り出される状態となり、線条体３が破損したり断線したりすることがない。
【００２１】
従って、ボビン１における線条体３の巻線量が少なくなった場合、該線条体３の繰り出し角度が鋭角となるのを防ぎ、該線条体３がほぼ真直な状態で繰り出されることから、線条体３の繰り出しを良好に行わせることができ、従来技術のように断線するのを確実に防止することができ、それだけ装置としての信頼性を高め得るものである。
【００２２】
しかも、ホイスカー支持板４１は、ボビン１の上端面に対し所定の距離をもっているのに加え、ボビン１の胴部１ａの径より小径をなしているので、線条体３の繰り出し角度をほぼ真直な状態で確実に保ち続けることができ、線条体３の断線防止を図るばかりでなく、線条体３の繰り出しをスムーズにさせることができる。
また、ホイスカー支持板４１の底部に軸部４３が形成され、該軸部４３がボビン１に挿入されることにより、該ボビン１上端面に対してホイスカー支持板４１を確実に所定間隔とすることができる。
【００２３】
【発明の効果】
以上述べたように、本発明の請求項１によれば、ボビンの一端面上にホイスカー支持板が、線条体をほぼ真直な状態で繰り出されるようにボビンの胴部径より小径をなして配置されているので、ボビンにおける線条体の巻線量が少なくなった場合でも、線条体の繰り出し角度が鋭角となるのを防ぎ、線条体がほぼ真直な状態で繰り出される。したがって、線条体の繰り出しをスムーズにさせることができ、従来技術のように断線するのを確実に防止することができ、それだけ装置としての信頼性を高め得る効果がある。
【図面の簡単な説明】
【図１】本発明の線条体繰り出しテンション装置の一実施形態を示し、ボビンにおける線条体の巻線量が少ない状態の正面図である。
【図２】線条体繰り出しテンション装置の要部斜視図である。
【図３】本発明の線条体繰り出しテンション装置に適用するボビンを示す分解斜視図である。
【図４】線条体がボビンから繰り出されているときで、しかもボビンにおける巻線量が多い状態の装置図である。
【図５】線条体繰り出しテンション装置をボビンに取付けた状態を示す説明用斜視図である。
【図６】従来の線条体繰り出しテンション装置を示す説明用斜視図である。
【符号の説明】
１  ボビン
１ａ  ボビン胴部
１ｂ，１ｃ  鍔部
３  線条体
４  線条体繰り出しテンション装置
４１  ホイスカー支持板
４２  ホイスカー
【図１】
0003832803.tif 000002
【図２】
0003832803.tif 000003
【図３】
0003832803.tif 000004
【図４】
0003832803.tif 000005
【図５】
0003832803.tif 000006
【図６】
0003832803.tif 000007